(57)【要約】【課題】作業者の簡単な施錠作業によってパチンコ玉やメダル等の勝ち玉類を収納した遊技媒体収納箱内の勝ち玉類を第三者が持ち去ることがないようにし、積み上げた遊技媒体収納箱が転倒したり、崩れたりすることないようにし、また遊技媒体収納箱が空の際には多数の遊技媒体収納箱をコンパクトに積み重ねることができるようにした。【解決手段】上部に対して底部が窄んだ形状の複数の遊技媒体収納箱２を遊技媒体等が収納された状態で積み上げる際には、夫々の遊技媒体収納箱２の連結部４Ｂと支持部２１とが夫々同一列に連結されることによって各遊技媒体収納箱が水平状態に支持され、最上段の遊技媒体収納箱の上面を閉じた蓋３の連結部４Ａと積み上げた各遊技媒体収納箱２の連結部４Ｂとが同一列に連結され、蓋の連結部に設けられた連結部材の施錠操作によって、各連結部の連結部材が連続的に結合され、各遊技媒体収納箱が空の際にも順次積み重ね可能とした。【選択図】図１０
2008079984.tif 000002
【特許請求の範囲】
【請求項１】
開口された上部に対して底部が窄んだ形状の複数の遊技媒体収納箱であって、該遊技媒体収納箱を遊技媒体等の内容物が収納された状態で、一個又は複数個積み上げる際には、夫々の遊技媒体収納箱の一側の略中央の上部から垂直下方に形成された連結部と、該連結部が設けられた側とは反対側の両端の上部から垂直下方に形成された支持部とが夫々同一列に連結されることによって各遊技媒体収納箱が高さ方向に等間隔で水平状態に支持されると共に、最上段の上面が開口した遊技媒体収納箱を閉じた蓋の側部に設けられた連結部と前記一個又は複数個積み上げた各遊技媒体収納箱の連結部とが、同一列に連結され、前記蓋の連結部に設けられた連結部材の施錠操作によって、前記複数個積み上げた遊技媒体収納箱の各連結部に設けられた連結部材とが連続的に結合される構成とし、各遊技媒体収納箱が空の際には、各遊技媒体収納箱の連結部と両側の支持部とが上下段の遊技媒体収納箱で交互に反対側に配された状態にして上段の遊技媒体収納箱をその下段の遊技媒体収納箱の内部に収容して順次積み重ねるようにしたことを特徴とする遊技媒体収納箱。
【請求項２】
開口された上部に対して底部が窄んだ形状の複数の遊技媒体収納箱であって、夫々の遊技媒体収納箱の対向した両側に設けられた連結部が少なくとも水平方向又は垂直方向を向くように回動自在に構成されたことによって、該遊技媒体収納箱を遊技媒体等の内容物が収納された状態で複数個積み上げる際には、各遊技媒体収納箱の両側の前記連結部を垂直方向に向けて連結した状態に支持すると共に、最上段の上面が開口した遊技媒体収納箱を閉じた蓋の側部に設けられた連結部と前記複数個積み上げた各遊技媒体収納箱の連結部とが同一列に連結され、前記蓋の連結部に設けられた連結部材の施錠操作によって、前記複数個積み上げた遊技媒体収納箱の各連結部に設けられた連結部材とが連続的に結合される構成とし、各遊技媒体収納箱が空の状態の際に各遊技媒体収納箱の両側の前記連結部を水平方向に向けた状態にして上段の遊技媒体収納箱を下段の遊技媒体収納箱の内部に収容して順次積み重ねるようにしたことを特徴とする遊技媒体収納箱。
【発明の詳細な説明】
【技術分野】
【０００１】
本発明は、遊技施設等においてパチンコ玉やメダル等の遊技媒体を収納するために使用する遊技媒体収納箱に関する。
【背景技術】
【０００２】
従来、パチンコやパチスロ等の遊技施設においては、パチンコ玉やメダル等の勝ち玉類を遊技機から遊技媒体収納箱に移し換え、１箱の遊技媒体収納箱が満杯になると、他の遊技媒体収納箱を積み上げた状態にして、遊技客の足元付近や遊技席の傍の床上に置いておき、遊技を続行する。そして、遊技が終了した後、遊技媒体収納箱ごとに計数機へ運んで、勝ち玉類の計数を行うことになる。
【０００３】
ところで、遊技中に、遊技客が食事や用事等で一時的に離席した際、第三者が遊技媒体収納箱内の勝ち玉類を持ち去り、また勝ち玉類を遊技媒体収納箱ごと持ち去るという不正行為が生じていた。
【０００４】
このような不正行為を防止するために、特許文献１に記載のパチンコ球収納箱は、パチンコ球を収納する箱体の適宜箇所に防犯用錠の取付部が設けられた構成を有する。具体的には、箱体の把手部に設けられた孔に鎖が通され、この鎖を椅子や遊技島に固定することによって箱体の移動を防止するものである。ところが、このような防犯用錠の鎖は切断されるおそれがあり、また各収納箱に鎖を通したり、鎖を椅子や遊技島に固定する作業が、店員にとって煩わしいものになるという不都合があった。
【特許文献１】特開２０００−３５０８５３号公報
【発明の開示】
【発明が解決しようとする課題】
【０００５】
本発明は、上記の事情に鑑みてなされたものであり、作業者（店員）の簡単な施錠作業によって、パチンコ玉やメダル等の勝ち玉類を収納した遊技媒体収納箱内の勝ち玉類を第三者が持ち去ることがないようにし、また積み上げた遊技媒体収納箱が転倒したり、積み上げた遊技媒体収納箱が崩れたりすることないようにし、また遊技媒体収納箱が空の際には、多数の遊技媒体収納箱をコンパクトに積み重ねることができるようにした遊技媒体収納箱を提供することを目的とする。
【課題を解決するための手段】
【０００６】
上記の問題を解決するために、本発明における請求項１の遊技媒体収納箱は、開口された上部に対して底部が窄んだ形状の複数の遊技媒体収納箱であって、該遊技媒体収納箱を遊技媒体等の内容物が収納された状態で、一個又は複数個積み上げる際には、夫々の遊技媒体収納箱の一側の略中央の上部から垂直下方に形成された連結部と、該連結部が設けられた側とは反対側の両端の上部から垂直下方に形成された支持部とが夫々同一列に連結されることによって各遊技媒体収納箱が高さ方向に等間隔で水平状態に支持されると共に、最上段の上面が開口した遊技媒体収納箱を閉じた蓋の側部に設けられた連結部と前記一個又は複数個積み上げた各遊技媒体収納箱の連結部とが、同一列に連結され、前記蓋の連結部に設けられた連結部材の施錠操作によって、前記複数個積み上げた遊技媒体収納箱の各連結部に設けられた連結部材とが連続的に結合される構成とし、各遊技媒体収納箱が空の際には、各遊技媒体収納箱の連結部と両側の支持部とが上下段の遊技媒体収納箱で交互に反対側に配された状態にして上段の遊技媒体収納箱をその下段の遊技媒体収納箱の内部に収容して順次積み重ねるようにしたことを特徴とする。
【０００７】
また、本発明における請求項２の遊技媒体収納箱は、開口された上部に対して底部が窄んだ形状の複数の遊技媒体収納箱であって、夫々の遊技媒体収納箱の対向した両側に設けられた連結部が少なくとも水平方向又は垂直方向を向くように回動自在に構成されたことによって、該遊技媒体収納箱を遊技媒体等の内容物が収納された状態で複数個積み上げる際には、各遊技媒体収納箱の両側の前記連結部を垂直方向に向けて連結した状態に支持すると共に、最上段の上面が開口した遊技媒体収納箱を閉じた蓋の側部に設けられた連結部と前記複数個積み上げた各遊技媒体収納箱の連結部とが同一列に連結され、前記蓋の連結部に設けられた連結部材の施錠操作によって、前記複数個積み上げた遊技媒体収納箱の各連結部に設けられた連結部材とが連続的に結合される構成とし、各遊技媒体収納箱が空の状態の際に各遊技媒体収納箱の両側の前記連結部を水平方向に向けた状態にして上段の遊技媒体収納箱を下段の遊技媒体収納箱の内部に収容して順次積み重ねるようにしたことを特徴とする。
【発明の効果】
【０００８】
本発明の遊技媒体収納箱によれば、各遊技媒体収納箱に遊技媒体である勝ち玉等が収納された状態で１個又は複数個積み上げる際は、蓋に設けられた連結部材と遊技媒体収納箱に設けられた連結部材とが同一列に連結され、蓋の連結部材に対する施錠操作によって、遊技媒体収納箱の各連結部材とが一度に連続的に結合される。このため、作業者（店員）の簡単な施錠作業によって、遊技媒体収納箱内の勝ち玉類の盗難を防止し、積み上げた遊技媒体収納箱が崩れたりすることを防止でき、また施錠を行うことで、万一盗難にあっても蓋を外すことができないため、セキュリティー面でも有益な遊技媒体収納箱を得ることができる。
【０００９】
さらに、本発明の遊技媒体収納箱によれば、各遊技媒体収納箱が空のとき、複数の遊技媒体収納箱をコンパクトに積み重ねることができるため、省スペースに収納可能であり、複数の遊技媒体収納箱を容易に運ぶことが可能となる。
【発明を実施するための最良の形態】
【００１０】
以下、本発明の実施例について図面を参照しながら説明する。
【実施例１】
【００１１】
本実施例の遊技媒体収納箱（以下、本実施例では「玉箱」という）２は、図１に示すように、開口された上面よりも底面が僅かに縮小した形状を有する。本実施例では、このような玉箱２の具体例として、対向する両側が互いに長尺側部２ａと短尺側部２ｂとを有する有底箱形状を成すものを用いている。また、この玉箱２の四方の隅部は角を取った直線状の辺部２ｃを有し、これらの辺部２ｃから下方に到るに従って内側に傾斜した勾配面２ｄを有するものとされている。
【００１２】
また、両側の長尺側部２ａ、２ａの略中央は下方に到るに従って凹み量を増すようにした円弧形状の凹部２ｅ、２ｅが形成され、一方の長尺側部２ａの略中央には凹部２ｅの上端に一体的に結合された連結部（玉箱２の連結部を「玉箱側連結部」という）４Ｂが垂直下方に形成され、該連結部４Ｂとその内側の凹部２ｅとは下方向に離間幅を増すように隙間２０が設けられている。この連結部４Ｂは玉箱２と同一高さを有する外筒（玉箱２の外筒を「玉箱側外筒」という）５Ｂを有し、この外筒５Ｂの上端内側が玉箱２の凹部２ｅの上端外側に一体的に結合されている。この玉箱側連結部４Ｂの内部構成については後述する。
【００１３】
さらに、玉箱２の両側の短尺側部２ｂ、２ｂにはパイプ形状の取手１１、１１が水平状に形成され、この取手１１の上端と玉箱２の上端とは略同一高さとされている。また、上記の玉箱側連結部４Ｂが形成された側部とは反対側の長尺側部２ａの両側には、玉箱２の角部上端に円筒形状の支持部２１、２１の各上部が一体的に結合され（ただし、図１において、一方の支持部２１は上端部しか見えない）、この支持部２１が垂直下方に垂下した状態で形成されることによって、支持部２１と玉箱２の内側に傾斜した勾配面２ｄとは下方に到るに従って隙間２０が増すようにされている。
【００１４】
夫々の支持部２１、２１は、玉箱２の高さと略同一の高さを有するが、内孔２１ａを有する上端が玉箱２の上端よりもやや上方に突出すると共に下端２１ｂが丸く突出するように形成され、玉箱２を積み上げたとき、上段の支持部２１の下端２１ｂが下段の支持部２１の上端の内孔２１ａに嵌合することによって、積み上げた上下段の玉箱２、２が互いに横方向にずれないように支持された結合状態となる（図１０参照）。
【００１５】
一方、図１に示す蓋３は、図２に示すように玉箱２の上端開口を閉塞する平板形状に形成された蓋板９を有し、該蓋板９の一方の長尺側部２ａ’の略中央には連結部（蓋３の連結部を「蓋側連結部」という）４Ａが設けられ、上面が開口した玉箱２を蓋３で閉じると、図２に示すように蓋側連結部４Ａと玉箱側連結部４Ｂとが合致された状態となる。また、他方の長尺側部２ａの略中央は玉箱２の円弧形状の凹部２ｅと同形状の凹部３ａが形成され、蓋板９の四隅には玉箱２の四隅の形状に対応して辺部３ｂ、３ｂ、円弧状の凹部３ｃ、３ｃが形成されている。また、蓋板９の上面には夫々の蓋３を判別可能にした台番号や遊技店が記載された紙面９ａが装着可能とされている。
【００１６】
上記のような形状を有する玉箱２が空のとき、複数の玉箱２を順次積み重ねるには、図６に示すように、開口を上方に向けた各玉箱２の連結部４Ｂとその反対側部の両側の支持部２１、２１とが互いに反対位置となるように上下方向に並べ、図７（ａ）〜(ｄ)に示すように上段の玉箱２の底部をその下段の玉箱２の開口部から内部に収容して順次積み重ねる。
【００１７】
このような積み重ね方法によって、上段の玉箱２の玉箱側連結部４Ｂがその下段の玉箱２の長尺側部２ａの凹部２ｅを避けた状態に垂下され、その下段の玉箱２の玉箱側連結部４Ｂと合致した状態に連結される。また、上段の玉箱２の両側の支持部２１、２１がその下段の玉箱２の辺部２ｃ、２ｃを避けた状態に垂下され、その下段の玉箱２の支持部２１、２１と合致した状態に連結される。このとき、図８(ａ)又は(ｂ)に示すように、下段の玉箱２の辺部２ｃは上段の玉箱２の勾配面２ｄと支持部２１との間の隙間２０に入り、また下段の長尺側部２ａの凹部２ｅは上段の凹部２ｅと玉箱側連結部４Ｂとの間の隙間２０に入った状態となって、上下段の玉箱２が嵌合された状態となる。このような連結が多段を成す複数の玉箱２、２…全体に成されることによって、内部が空いた状態の複数の玉箱２をコンパクトに積み重ねることが可能となる。
【００１８】
一方、玉箱２の内部にパチンコ玉やメダル等の勝ち玉類Ｐが収容された状態で複数の玉箱２を複数個積み上げるには、図９に示すように、開口を上方に向けた各玉箱２の玉箱側連結部４Ｂ、４Ｂ…が互いに同列となるように上下方向に並べ、図１０に示すように上段の玉箱２の玉箱側連結部４Ｂと下段の玉箱２の玉箱側連結４Ｂとが互いに同列に連結するように積み上げる。このとき、玉箱２の玉箱側連結部４Ｂの反対側部の両側の支持部２１もまた上下方向に互いに連結された状態となる。
【００１９】
ここで、蓋３の蓋側連結部４Ａの構造について述べると、図３（ａ）に示すように、蓋板９の片側の長尺側部２ａの略中央に形成された円筒形状の蓋側外筒（以下、蓋３の外筒を「蓋側外筒」という）５Ａを有し、この外筒５Ａは上端に円形内孔５ｃを有する鍔部５ｄが形成され、外筒５Ａの内部には、その下方から連結部材（以下、蓋３の連結部材を「蓋側連結部材」という）６Ａとバネ部材７Ａとキャップ８Ａとが装着される構造とされている。
【００２０】
これらの構成をより詳細に述べると、蓋側連結部材６Ａは円柱形状に形成され、上記の蓋側外筒５Ａの鍔部５ｄの内孔５ｃに挿通される外径を有し、蓋側連結部材６Ａの略中間の高さの外周には円環形状のストッパ６ｃが突出形成されている。また、蓋側連結部材６Ａの上部には施錠鍵１０（図５（ａ）参照）が挿入される鍵溝６ｄが形成され、蓋側連結部材６Ａの下部には後述する玉箱２側の連結部材６Ｂの上端に形成された十字形溝６ｇに嵌合する十字形突起６ｅが形成されている。さらに、蓋側連結部材６Ａの下端部外周には上記の十字形突起６ｅのいずれかの対向２箇所に相当する部位に係合ピン６ｆ、６ｆが突出形成されている。
【００２１】
また、バネ部材７Ａは、図３（ａ）に示すようにコイル形状を有し、蓋側連結部材６Ａの外周に下方から装着して、図５（ａ）に示すように蓋側連結部材６Ａのストッパ６ｃの下端で係止される。さらに、キャップ８Ａは、図３（ａ）に示すように、上記の蓋側外筒５Ａの下端部に当接する鍔部８ｃと、該鍔部８ｃの内部に蓋側連結部材６Ａの上部外周を挿通しうる内径の円形内孔８ｄと、該内孔８ｄに沿って立設された円形ガイド８ｅとから構成されている。この円形ガイド８ｅには蓋側連結部材６Ａの外周にて対向する係合ピン６ｆ、６ｆを縦方向に挿通可能に形成した２条のガイド溝８ｆ、８ｆが形成されている。
【００２２】
上記の部材からなる蓋側連結部４Ａを組み立てるには、図５（ａ）に示すように、蓋側連結部材６Ａの下方からバネ部材７Ａをストッパ６ｃで係止されるまで装着し、キャップ８Ａの円形ガイド８ｅの２条のガイド溝８ｆ、８ｆを蓋側連結部材６Ａの各係合ピン６ｆ、６ｆに沿って挿通すると共に、円形ガイド８ｅの外周にバネ部材７Ａを嵌合した状態にしてバネ部材７Ａの下端をキャップ８Ａの鍔部８ｃで支持し、この状態の蓋側連結部材６Ａの上部を蓋側外筒５Ａの内孔５ｃに挿通し、蓋側外筒５Ａの下端にキャップ８Ａの鍔部８ｃを当てて接着剤又は螺合構造等により固定する。
【００２３】
一方、玉箱２の玉箱側連結部４Ｂの構成について説明すると、図３(ｂ)に示すように、玉箱２の一方の長尺側部２ａの略中央の上部から垂直下方に円筒形状の外筒（以下、玉箱２の外筒を「玉箱側外筒」という）５Ｂが形成され、この玉箱側外筒５Ｂは玉箱２の深さに相当する高さを有するものとされている。また、玉箱側外筒５Ｂの内孔５ｃの内周には、図４に示すように、内周に沿って３条の円環形状突起１２ａ、１２ｂ、１２ｃと２条の円環形状溝１２ａ、１２ｂとが高さ方向に交互に形成されている。また、夫々の円環形状突起１２ａ、１２ｂ、１２ｃには対向位置に切開溝１４ａ、１４ｂ、１４ｃが形成され、夫々の切開溝１４ａ、１４ｂ、１４ｃに後述する連結部材６Ｂに設けられたピン形状６ｋ、６ｊが挿通可能とされている。
【００２４】
この玉箱側外筒５Ｂの内部について、より詳細に述べると、図４に示すように、最上部の円環形状突起１２ａの対向位置に設けられた切開溝１４ａ、１４ａ（図示は一方のみが現われている）に対して約９０度位相をずらして中間部の円環形状突起１２ｂの切開溝１４ｂ、１４ｂ（図示は一方のみが現われている）が形成され、さらにこの中間部の円環形状突起１２ｂの切開溝１４ｂ、１４ｂに対して約９０度位相をずらして最下部の円環形状突起１２ｃの切開溝１４ｃ、１４ｃ（図示は一方のみが現われている）が形成されている。
【００２５】
上記のように形成された玉箱側外筒５Ｂの下方から、図３(ｂ)に示すように、連結部材（以下、玉箱２の連結部材を「玉箱側連結部材」という）６Ｂとバネ部材７Ｂとキャップ８Ｂとが装着される構造とされている。
【００２６】
これらの構成をより詳細に述べると、図３(ｂ)に示すように、玉箱側連結部材６Ｂは円柱形状に形成され、玉箱側外筒５Ｂの各円環形状突起１２ａ、１２ｂ、１２ｃの内部に挿通される外径を有し、玉箱側連結部材６Ｂの高さの略中間位置の外周には円環形状のストッパ６ｈが突出形成されている。また、玉箱側連結部材６Ｂの上部には蓋側連結部材６Ａの下端部に形成された十字形突起６ｅを嵌合する十字形溝６ｇが形成されている。さらに、玉箱側連結部材６Ｂの下部には十字形突起６ｉが形成され、この十字形突起６ｉが下方に積み重ねられる玉箱２の玉箱側連結部材６Ｂの上部に形成された十字形溝６ｇに嵌合される。
【００２７】
また、玉箱側連結部材６Ｂの下端部外周には上記の十字形突起６ｉのいずれかの対向２箇所に相当する部位に係合ピン（以下、「下部係合ピン」という）６ｊ、６ｊが突出形成されている。さらに、これらの下部係合ピン６ｊ、６ｊに約９０度位相をずらして、玉箱側連結部材６Ｂの上部付近の外周の対向２箇所には係合ピン（以下、この係合ピンを「上部係合ピン」という）６ｋ、６ｋが突出形成されている。
【００２８】
バネ部材７Ｂは、図３(ｂ)に示すようにコイル形状を有し、玉箱側連結部材６Ｂの外周に下方から装着して、図５（ａ）に示すように玉箱側連結部材６Ｂのストッパ６ｈの下端で係止される。さらに、キャップ８Ｂは、図３(ｂ)に示すように、上記の玉箱側外筒５Ｂの下端部に当接する鍔部８ｃと、該鍔部８ｃの内部に玉箱側連結部材６Ｂの外周を挿通する内径を有する円形内孔８ｄと、該内孔８ｄに沿って立設された円形ガイド８ｅとから構成されている。この円形ガイド８ｅには玉箱側連結部材６Ｂの下部係合ピン６ｊ、６ｊを縦方向に挿通可能にする２条のガイド溝８ｆ、８ｆが形成されている。
【００２９】
上記のように構成された玉箱２側連結部４Ｂを組み立てるには、図５（ａ）に示すように、玉箱側連結部材６Ｂの下方からバネ部材７Ｂをストッパ６ｈで係止されるまで装着し、キャップ８Ｂの円形ガイド８ｅに設けられた２条のガイド溝８ｆ、８ｆを玉箱側連結部材６Ｂの下部係合ピン６ｊ、６ｊに沿って挿通すると共に、円形ガイド８ｅの外周にバネ部材７Ｂを嵌合した状態にしてバネ部材７Ｂの下端をキャップ８Ｂの鍔部８ｃで支持する。
【００３０】
次いで、この状態の玉箱側連結部材６Ｂの上部を玉箱側外筒５Ｂの下方から内孔５ｃに挿通し、玉箱側連結部材６Ｂの上部係合ピン６ｋ、６ｋを玉箱側外筒５ｂの最下部の円環形状突起１２ｃの切開溝１４ｃ、１４ｃに通過させて最下部の円環形状溝１２ｂ内に嵌合する。この状態で玉箱側連結部材６Ｂを約９０度回動して、さらに玉箱側連結部材６Ｂを押し上げ、玉箱側連結部材６Ｂの上部係合ピン６ｋ、６ｋを中間部の円環形状突起１２ｂの切開溝１４ｂ、１４ｂに通過させることによって、最上部の円環形状溝１２ａに嵌合して約９０度回動した状態とする。そして、玉箱側外筒５Ｂの下端にキャップ８の鍔部８ｃを当てて接着剤又は螺合構造等により固定する。
【００３１】
ここで、図１０に示すように、台車の上面に複数の玉箱２を複数個積み上げる場合について述べる。この台車１５は、一例として玉箱２を２列に積み上げることができる適宜の面積を有し、その上面には、２列分の玉箱２に対応する玉箱２側連結部４Ｂ、４Ｂ…に相当する位置に連結部（以下、台車連結部を「台車側連結部」という）１７、１７…が形成され、また各支持部２１の下端２１ｂを嵌合する嵌合穴１７ａが形成され、さらに下部四方にはキャスター１６、１６…が取り付けられている。この台車側連結部１７の内部構造は不図示であるが、図４に示す玉箱側外筒５Ｂの内孔５ｃに形成された円環形状突起１２ａと円環形状溝１２ａと同様の構造が形成されている。
【００３２】
また、この台車側連結部１７の円環形状突起１２ａには対向位置に図４に示すものと同様の一対の切開溝１４ａ、１４ａが形成され、これらの切開溝１４ａ、１４ａに最下部の玉箱２の連結部４Ｂに設けられた玉箱２側連結部６Ｂの下部係合ピン６ｊ、６ｊを上方から挿通して円環形状溝１２ａ内に嵌合することが可能とされている。なお、台車１５の上面端部付近には、図１１に示すＵ字形アーム棒１９の下端部を嵌合する取付け孔１８、１８が形成されている。
【００３３】
上記のように構成された１段の玉箱２に、図２に示すように蓋３を閉じて施錠状態にするには、玉箱２のいずれかの玉箱２側連結部４Ｂに蓋側連結部４Ａを合わせた状態にして蓋３を閉じると、玉箱側連結部材６Ｂの上部の十字形溝６ｇに蓋側連結部材６Ａの下部の十字形突起６ｅが嵌合した状態となる（図５（ａ）参照）。この状態で、図５(ｂ)に示すように、蓋側連結部材６Ａの上部の鍵溝６ｄに施錠鍵１０を挿入して押し込むと、蓋側連結部材６Ａの各係合ピン６ｆ、６ｆがキャップ８Ａのガイド溝８ｆ、８ｆに案内されながら玉箱側外筒５Ｂ内の最上の円環形状突起１２ａの切開溝１４ａ、１４ａを通過して、その下方の円環形状溝１２ａ内に収まる。この操作で玉箱側連結部材６Ｂの上部係合ピン６ｋ、６ｋは中間の切開溝１４ｂ、１４bを通過して最下部の円環形状溝１２ｂに嵌合される。この状態から、図５(ｃ)に示すように、施錠鍵１０を回動すると、蓋側連結部材６Ａの各係合ピン６ｆ、６ｆが玉箱側外筒５Ｂ内の最上の円環形状溝１２ａ内に嵌合され、蓋側連結部材６Ａが玉箱側外筒５Ｂに結合された状態となる。
【００３４】
また、図１０に示すように、複数の玉箱２、２…を積み上げて、最上段の玉箱２に蓋３を閉じた場合、図１２（ａ）に示すように、蓋側連結部材６Ａの下部の十字形突起６ｅが最上段の玉箱側連結部材６Ｂの上部の十字形溝６ｇに嵌合すると共に、各段の玉箱側連結部材６Ｂの十字形突起６ｅがその下段の玉箱側連結部材６Ｂの上部の十字形溝６ｇに嵌合した状態となる。この状態で、図１２(ｂ)に示すように、蓋側連結部材６Ａの上部の鍵溝６ｄに施錠鍵１０を挿入して押し込むと、上記の図５(ｂ)で説明した通り、蓋側連結部材６Ａの各係合ピン６ｆ、６ｆがその下方の円環形状溝１２ａ内に収まり、同時に、玉箱側連結部材６Ｂの上部係合ピン６ｋ、６ｋは最下部の円環形状溝１２ｂに収まる。
【００３５】
また、図１２(ｂ)に示すように、最上段の玉箱側連結部材６Ｂはその下方に連なる各玉箱側連結部材６Ｂ、６Ｂ…を押し下げ、図１２(ｂ)に示すように、各玉箱側連結部材６Ｂの下部係合ピン６ｉ、６ｉがその下段の玉箱側外筒５Ｂの最上の円環形状溝１２ａに収納される。さらに、最下段の玉箱側連結部材６Ｂの十字形突起６ｉは最下段の玉箱側外筒５Ｂの下端部から突出し、図１２(ｂ)に不図示であるが、台車１５の台車側連結部１７に収まる。
【００３６】
この状態で、図１２(ｃ)に示すように、施錠鍵１０を回動すると、図５(ｃ)で示した通り、蓋側連結部材６Ａの各係合ピン６ｆ、６ｆは最上段の玉箱側外筒５Ｂ内の最上の円環形状溝１２ａ内に嵌合され、蓋側連結部材６Ａが玉箱側外筒５Ｂ内に結合された状態となる。さらに、最上段の玉箱側連結部材６Ｂはその下方に連なる夫々の玉箱側連結部材６Ｂ、６Ｂ…を一度に回動し、各玉箱側連結部材６Ｂの下部係合ピン６ｉ、６ｉがその下段の玉箱側外筒５Ｂの最上の円環形状溝１２ａに嵌合され、各玉箱２側連結部４Ｂ、４Ｂ…が結合状態となる。
【００３７】
なお、上記の説明では、図１１に示すように、１個又は複数個積み上げた玉箱２の上面を閉塞した蓋３の蓋側連結部材６Ａに対する施錠操作によって玉箱側連結部材６Ｂを台車１５の台車側連結部１７に結合する構成としてあるが、このような台車１５だけではなく、台車側連結部１７と同様の連結構造を不図示の置き板に形成し、この置き板を既存の台車１５の上に置き板を載せるか、さらには台車側連結部１７と同様の連結構造を不図示の床に設けることによって、この置き板や床に上記の蓋３の蓋側連結部材６Ａに対する施錠操作によって１個又は複数個積み上げた玉箱２を固定する構成にしてもよい。
【実施例２】
【００３８】
本実施例の遊技媒体収納箱（本実施例においても、「玉箱」という）２は、図１３に示すように、開口された上面に対して底面がやや縮小した形状を有する。本実施例では、このような玉箱２の具体例として、対向する両側が互いに長尺側部２ａ、２ａと短尺側部２ｂ、２ｂとを有する有底箱形状を成すものを図示している。また、この玉箱２における対向した短尺側部２ｂには玉箱側連結部４Ｂが設けられ、夫々の玉箱側連結部４Ｂは少なくとも水平方向と垂直方向を向くように回動自在に構成されている。
【００３９】
ここで、玉箱２の両側部に設けられた玉箱側連結部４Ｂについて詳細に述べると、対向した短尺側部２ｂの勾配面の片側上部付近には水平方向に突出した回動軸２３が設けられ、玉箱側連結部４Ｂを成す玉箱側外筒５Ｂの一端付近の側部に回動自在に結合されている。なお、玉箱側連結部４Ｂの玉箱側外筒５Ｂの内部構造は、実施例１の玉箱側連結部４Ｂと同様の構成を有するため説明は省略する。
【００４０】
また、この短尺側部２ｂの勾配面において、上記の回動軸２３の下方から該回動軸２３を中心にして円弧軌道２４ａを描き、短尺側部２ｂの勾配面の上部付近にて回動軸２３から遠ざかる方向に水平軌道２４ｂを描くガイド溝２４が形成されている。このガイド溝２４は短尺側部２ｂの勾配面から外方へ突出する所定幅に離間した突起２５、２５が上記の軌道を描くことによって形成されている。
【００４１】
さらに、このガイド溝２４の両側の突起２５、２５間に案内軸２７の一端が摺動自在に嵌合され、この案内軸２７が水平方向をなして短尺側部２ｂの勾配面から突出すると共に、案内軸２７の外端は上記の玉箱側連結部４Ｂの玉箱側外筒５Ｂの側部に沿って設けられたスライド溝２８に摺動自在に嵌合されている。
【００４２】
このような構成により、図１５に示すように、夫々の玉箱側連結部４Ｂ、４Ｂを回動軸２３周りに水平状態に回動すると、案内軸２７がガイド溝２４の円弧軌道２４ａから水平軌道２４ｂに案内されて移動し、水平軌道２４ｂの端部に当ることによって水平状態を保って停止する。このように両側の玉箱側連結部４Ｂ、４Ｂを水平状態にしたときは、夫々の玉箱側連結部４Ｂ、４Ｂを取手として用いることができる。また、図１６に示すように、夫々の玉箱側連結部４Ｂ、４Ｂを回動軸２３周りに垂直方向に回動すると、案内軸２７がガイド溝２４の水平軌道２４ｂから円弧軌道２４ａに案内されて移動し、円弧軌道２４ａの端部に当ることによって垂直状態を保って停止する。
【００４３】
上記のように構成された両側の玉箱側連結部４Ｂ、４Ｂを有する玉箱２の内部が空のとき、複数の玉箱２を積み重ねるには、図１７に示すように、開口を上方に向けた各玉箱２の玉箱側連結部４Ｂを水平状態に回動し、上段の玉箱２の底部をその下段の玉箱２の開口部から内部に収容して順次積み重ねる。このとき、各玉箱２の玉箱側連結部４Ｂは上記のように水平状態に回動されているため、各玉箱２の積み重ねの邪魔にならずに、空の複数の玉箱２の積み重ねが可能となる。
【００４４】
また、上記の玉箱２の開口部を閉ざす蓋３は、図１４に示すように、玉箱２の開口部の形状に対応した形状を有する蓋板９と、その蓋板９の両側の短尺側部２ｂから腕部２６、２６を張り出し、該腕部２６の端部に蓋側連結部４Ａをなす蓋側外筒５Ａ、５Ａ’が形成されてなるものである。夫々の腕部２６、２６の蓋側外筒５Ａ、５Ａ’は、上記の玉箱側連結部４Ｂを垂直態にした状態でその玉箱側連結部４Ｂの上端と合致する位置に形成されている。なお、本実施例においては、蓋板９の両側に設けられた蓋側外筒５Ａ、５Ａ’のうち一方の側のみに蓋側連結部４Ａを設け、他方の蓋側外筒５Ａ’には蓋側連結部４Ａを設けない構造としている。ただし、蓋板９の両側の蓋側外筒５Ａ、５Ａ’の両方に蓋側連結部４Ａを設けた構造にしてもよい。また、上記の蓋３の蓋側連結部４Ａの内部構造は、実施例１の蓋側連結部４Ａと同様の構成を有するため説明は省略する。
【００４５】
このような構造を有する蓋３を用いて、玉箱２の内部に勝ち玉等を収容した複数の玉箱２を複数個積み上げるには、図１８に示すように、玉箱２の両側の玉箱側連結部４Ｂ、４Ｂを垂直方向に立てた状態にして、蓋側連結部４Ａと玉箱側連結部４Ｂとが上下方向に一列に並ぶようにし、蓋３と複数の玉箱２を配列して、図１９に示すように積み上げると、蓋３の蓋側連結部４Ａと複数個積み上げられたすべての玉箱側連結部４Ｂ、４Ｂ…が同一列に連結され、実施例１で述べたように、施錠鍵１０の施錠操作によって、蓋側連結部４Ａとすべての玉箱側連結部４Ｂ、４Ｂ…とが連結固定された状態となる。
【００４６】
また、図２０に示すように台車１５に蓋３と複数個積み上げられた玉箱２、２…を結合する場合も実施例１と同様に、施錠鍵１０の施錠操作によって、蓋側連結部４Ａとすべての玉箱側連結部４Ｂ、４Ｂ…と台車１５の連結部１７とが連結固定された状態となる。
【００４７】
なお、本実施例においても、図１８〜図２０に示すような台車１５だけではなく、台車側連結部１７と同様の連結構造を不図示の置き板に形成し、この置き板を既存の台車１５の上に載せるか、さらには台車側連結部１７と同様の連結構造を不図示の床に設けることによって、この置き板や床に上記の蓋３の蓋側連結部材６Ａに対する施錠操作によって１個又は複数個積み上げた玉箱２を固定する構成にしてもよい。
【産業上の利用可能性】
【００４８】
本発明の遊技媒体収納箱は、作業者（店員）の簡単な施錠作業によって、パチンコ玉やメダル等の勝ち玉類を収納した遊技媒体収納箱や遊技媒体収納箱内の勝ち玉類を第三者が持ち去ることがないようにし、また積み上げた遊技媒体収納箱が転倒したり、積み上げた遊技媒体収納箱が崩れたりすることないようにし、さらには各遊技媒体収納箱が空のとき、複数の遊技媒体収納箱をコンパクトに積み重ねることによって、省スペースに収納可能にし、容易に運ぶことができるようにした遊技媒体収納箱として利用可能である。
【図面の簡単な説明】
【００４９】
【図１】実施例１に係る１個の遊技媒体収納箱（玉箱）と蓋との分解斜視図である。
【図２】実施例１に係る１個の遊技媒体収納箱（玉箱）に蓋を閉じた状態を示す斜視図である。
【図３】(ａ)は実施例１に係る蓋の連結部に関する分解斜視図であり、(ｂ)は実施例１に係る箱体の連結部に関する分解斜視図である。
【図４】実施例１に係る遊技媒体収納箱（玉箱）の連結部を構成する外筒の内部構造を示す断面斜視図である。
【図５】(ａ)〜(ｃ)は、実施例１に係る１個の遊技媒体収納箱（玉箱）と蓋との連結状態を示す断面斜視図であり、(ａ)は施錠前の状況、(ｂ)は施錠鍵を押し込んだ状況、(ｃ)は施錠鍵を回した状況を示す。
【図６】実施例１に係る複数の遊技媒体収納箱（玉箱）が空の状態で積み重ねる前の配列状態を示す斜視図である。
【図７】実施例１に係る複数の空の遊技媒体収納箱（玉箱）を積み重ねた状態を示す図であり、(ａ)はその斜視図、(ｂ)は上面図、(ｃ)は長尺側の側面図、(ｄ)は短尺側の側面図である。
【図８】実施例１に係る２段の遊技媒体収納箱（玉箱）が空の状態で積み重ねられた状態を示す断面図である。
【図９】実施例１に係る蓋と複数段の遊技媒体収納箱（玉箱）と台車とを結合する前の配列状況を示す斜視図である。
【図１０】実施例１に係る蓋と複数段の遊技媒体収納箱（玉箱）と台車とを結合した状態を示す斜視図である。
【図１１】実施例１に係る蓋と複数段の遊技媒体収納箱（玉箱）と台車とを結合すると共に台車にアーム棒を取り付けた状況を示す斜視図である。
【図１２】(ａ)〜(ｃ)は、実施例１に係る蓋の連結部と複数段の遊技媒体収納箱（玉箱）の連結部との連結状態を示す断面斜視図であり、(ａ)は施錠前の状況、(ｂ)は施錠鍵を押し込んだ状況、(ｃ)は施錠鍵を回した状況を示す。
【図１３】実施例２に係る１個の遊技媒体収納箱（玉箱）と蓋との分解斜視図である。
【図１４】実施例２に係る１個の遊技媒体収納箱（玉箱）に蓋を閉じた状態を示す斜視図である。
【図１５】実施例２に係る遊技媒体収納箱（玉箱）の連結部を水平状態に回動した斜視図である。
【図１６】実施例２に係る遊技媒体収納箱（玉箱）の連結部を垂直状態に回動した斜視図である。
【図１７】実施例２に係る空の遊技媒体収納箱（玉箱）を積み重ねた状態を示す斜視図である。
【図１８】実施例２に係る蓋と複数段の遊技媒体収納箱（玉箱）と台車とを結合する前の配列状況を示す斜視図である。
【図１９】実施例２に係る空の遊技媒体収納箱（玉箱）を複数段に積み重ねて結合した状態を示す斜視図である。
【図２０】実施例２に係る実施例１に係る蓋と複数段の遊技媒体収納箱（玉箱）と台車とを結合した状態を示す斜視図である。
【符号の説明】
【００５０】
２  遊技媒体収納箱（玉箱）
２ａ  （玉箱の）長尺側部
２ｂ  （玉箱の）短尺側部
２ａ’  （蓋の）長尺側部
２ｂ’  （蓋の）短尺側部
２ｃ  辺部
２ｄ  勾配面
２ｅ  凹部
３  蓋
３ａ  凹部
３ｂ  辺部
３ｃ  凹部
４Ａ  蓋側連結部
４Ｂ  玉箱側連結部
５Ａ  蓋側外筒
５Ａ’  蓋側外筒
５Ｂ  玉箱側外筒
５ｃ  円形内孔
５ｄ  鍔部
６Ａ  蓋側連結部材
６Ｂ  玉箱側連結部材
６ｃ  ストッパ
６ｄ  鍵溝
６ｅ  十字形突起
６ｆ  係合ピン
６ｇ  十字形溝
６ｈ  ストッパ
６ｉ  十字形突起
６ｊ  下部係合ピン
６ｋ  上部係合ピン
７Ａ  バネ部材
７Ｂ  バネ部材
８Ａ  キャップ
８Ｂ  キャップ
８ｃ  鍔部
８ｄ  円形内孔
８ｅ  円形ガイド
８ｆ  ガイド溝
９  蓋板
９ａ  紙面
１０  施錠鍵
１１  取手
１２ａ、１２ｂ、１２ｃ  円環形状突起
１３ａ、１３ｂ  円環形状溝
１４ａ、１４ｂ、１４ｃ  切開溝
１５  台車
１６  キャスター
１７  台車側連結部
１７ａ  嵌合穴
１８  取付け孔
１９  アーム棒
２０  隙間
２１  支持部
２１ａ  内孔
２１ｂ  下端
２３  回動軸
２４  ガイド溝
２４ａ  円弧軌道
２４ｂ  水平軌道
２５  突起
２６  腕部
２７  案内軸
Ｐ  勝ち玉類
【図１】
2008079984.tif 000003
【図２】
2008079984.tif 000004
【図３】
2008079984.tif 000005
【図４】
2008079984.tif 000006
【図５】
2008079984.tif 000007
【図６】
2008079984.tif 000008
【図７】
2008079984.tif 000009
【図８】
2008079984.tif 000010
【図９】
2008079984.tif 000011
【図１０】
2008079984.tif 000012
【図１１】
2008079984.tif 000013
【図１２】
2008079984.tif 000014
【図１３】
2008079984.tif 000015
【図１４】
2008079984.tif 000016
【図１５】
2008079984.tif 000017
【図１６】
2008079984.tif 000018
【図１７】
2008079984.tif 000019
【図１８】
2008079984.tif 000020
【図１９】
2008079984.tif 000021
【図２０】
2008079984.tif 000022